(57)【要約】【課題】フィルタ効果処理によって最終的に得られる画面全体の印象が一定になるようにする。【解決手段】イメージセンサ１１５で得られる映像信号に信号処理（ホワイトバランス補正処理、ガンマ補正処理、エッジ強調処理、色補正処理）を施す信号処理部１１２と、映像信号から被写体情報として被写体の色情報及び輝度情報のうち少なくともいずれ一方を検出する輝度／色情報検出部１１３と、映像信号にフィルタ効果処理をかけるためのフィルタ効果処理部１１４とを備え、カメラマイコン１１１は、フィルタ効果処理部１１４によるフィルタ効果処理の適用時に、輝度／色情報検出部１１３で検出された被写体情報に基づいて、ホワイトバランス補正、色補正、ガンマ補正、エッジ強調処理のうち少なくとも一つ以上で用いる補正値を算出する。【選択図】図１
2014116903.tif 000002
【特許請求の範囲】
【請求項１】
映像信号を出力する撮像手段と、
前記撮像手段で得られる映像信号の信号処理を施す信号処理手段であり、映像信号にホワイトバランス補正処理を施すホワイトバランス補正手段、映像信号にガンマ補正処理を施すガンマ補正手段、映像信号にエッジ強調処理を施すエッジ強調手段、及び映像信号に色補正処理を施す色補正手段、のうち少なくとも一つ以上の手段を有する信号処理手段と、
前記撮像手段で得られる映像信号から被写体の色情報及び輝度情報のうち少なくともいずれ一方を含む被写体情報を検出する被写体情報検出手段と、
前記撮像手段で得られる映像信号にフィルタ効果処理をかけるためのフィルタ効果処理手段と、
前記フィルタ効果処理手段によるフィルタ効果処理の適用時に、前記被写体情報検出手段で検出された被写体情報に基づいて、前記ホワイトバランス補正手段、前記色補正手段、前記ガンマ補正手段、及び前記エッジ強調手段のうち少なくとも一つ以上の手段で用いる補正値を算出する制御手段とを備えたことを特徴とする撮像装置。
【請求項２】
前記制御手段は、前記被写体情報検出手段で検出された被写体情報に基づいて、前記ホワイトバランス補正手段及び前記色補正手段のうち少なくともいずれか一方で用いる補正値を算出することを特徴とする請求項１に記載の撮像装置。
【請求項３】
前記制御手段は、前記撮像手段で得られる映像信号における被写体の色相が前記フィルタ効果処理手段によるフィルタ効果処理によって強調される色相と一致する場合、前記ホワイトバランス補正手段で用いる補正値を小さくし、色相が一致しない場合、前記ホワイトバランス補正手段で用いる補正値を大きくすることを特徴とする請求項１又は２に記載の撮像装置。
【請求項４】
前記制御手段は、前記撮像手段で得られる映像信号における被写体の彩度が前記フィルタ効果処理手段によるフィルタ効果処理によって強調又は抑圧される彩度より大きい場合、前記色補正手段で用いる補正値を小さくし、大きくない場合、前記色補正手段で用いる補正値を大きくすることを特徴とする請求項１又は２に記載の撮像装置。
【請求項５】
前記制御手段は、前記フィルタ効果処理手段によるフィルタ効果処理が前記撮像手段で得られる映像信号のコントラストを変化させる効果を用いている場合、前記ガンマ補正処理で用いる補正値を算出することを特徴とする請求項１に記載の撮像装置。
【請求項６】
前記制御手段は、前記フィルタ効果処理手段によるフィルタ効果処理が前記撮像手段で得られる映像信号のシャープネスを変化させる効果を用いている場合、前記エッジ強調処理で用いる補正値を算出することを特徴とする請求項１に記載の撮像装置。
【請求項７】
前記制御手段は、前記フィルタ効果処理手段によるフィルタ効果処理の内容に応じて、前記ホワイトバランス補正手段、前記色補正手段、前記ガンマ補正手段、及び前記エッジ強調手段のうちどの手段で用いる補正値を算出するかを決定することを特徴とする請求項１乃至６のいずれか１項に記載の撮像装置。
【請求項８】
映像信号を出力する撮像手段と、
前記撮像手段で得られる映像信号の信号処理を施す信号処理手段であり、映像信号にホワイトバランス補正処理を施すホワイトバランス補正手段、映像信号にガンマ補正処理を施すガンマ補正手段、映像信号にエッジ強調処理を施すエッジ強調手段、及び映像信号に色補正処理を施す色補正手段、のうち少なくとも一つ以上の手段を有する信号処理手段と、
前記撮像手段で得られる映像信号から被写体の色情報及び輝度情報のうち少なくともいずれ一方を含む被写体情報を検出する被写体情報検出手段と、
前記撮像手段で得られる映像信号にフィルタ効果処理をかけるためのフィルタ効果処理手段とを備えた撮像装置の制御方法であって、
前記フィルタ効果処理手段によるフィルタ効果処理の適用時に、前記被写体情報検出手段で検出された被写体情報に基づいて、前記ホワイトバランス補正手段、前記色補正手段、前記ガンマ補正手段、及び前記エッジ強調手段のうち少なくとも一つ以上の手段で用いる補正値を算出するステップを有することを特徴とする撮像装置の制御方法。
【請求項９】
映像信号を出力する撮像手段と、
前記撮像手段で得られる映像信号の信号処理を施す信号処理手段であり、映像信号にホワイトバランス補正処理を施すホワイトバランス補正手段、映像信号にガンマ補正処理を施すガンマ補正手段、映像信号にエッジ強調処理を施すエッジ強調手段、及び映像信号に色補正処理を施す色補正手段、のうち少なくとも一つ以上の手段を有する信号処理手段と、
前記撮像手段で得られる映像信号から被写体情報として被写体の色情報及び輝度情報のうち少なくともいずれ一方を検出する被写体情報検出手段と、
前記撮像手段で得られる映像信号にフィルタ効果処理をかけるためのフィルタ効果処理手段とを備えた撮像装置を制御するためのプログラムであって、
前記フィルタ効果処理手段によるフィルタ効果処理の適用時に、前記被写体情報検出手段で検出された被写体情報に基づいて、前記ホワイトバランス補正手段、前記色補正手段、前記ガンマ補正手段、及び前記エッジ強調手段のうち少なくとも一つ以上の手段で用いる補正値を算出する処理をコンピュータに実行させるためのプログラム。
【発明の詳細な説明】
【技術分野】
【０００１】
本発明は、映像信号にホワイトバランス補正、色補正、ガンマ補正、エッジ強調等の信号処理を施す撮像装置、その制御方法及びプログラムに関する。
【背景技術】
【０００２】
従来、撮像装置で映像信号に施す信号処理として、ホワイトバランス補正、ガンマ補正、エッジ強調、色補正等がある。信号処理を施すときは、まず、ホワイトバランス補正、ガンマ補正、エッジ強調、色補正の補正値を算出し、続いて、算出した補正値に基づいて、ホワイトバランス補正、ガンマ補正、エッジ強調、色補正を実行する。
【０００３】
また、従来、撮像装置において、撮影するシーンごとにユーザの好みに合った画質を提供するために、ユーザに撮影に用いる画質フィルタモードを複数のモードの中から選択させ、ユーザが設定する画質フィルタモードに応じて、撮像装置の設定を切り替え、各モードに応じた画質補正を行う機能がある。画質補正として、階調性、コントラスト、ブラックバランス、ホワイトバランス、カラーバランス、シャープネス、ソフトフォーカス、グラデーションマスク等を行う機能がある。
【先行技術文献】
【特許文献】
【０００４】
【特許文献１】特開２００６−３２４８０８号公報
【特許文献２】特開２００４−１３４９５０号公報
【発明の概要】
【発明が解決しようとする課題】
【０００５】
しかしながら、画質フィルタモードにおいて、画面全体の印象色を変えるため、セピア色や寒色系の色味を重ねる画質補正をかけるフィルタを選択して撮影する際、太陽光、ハロゲン、蛍光灯といった撮影時の環境光や被写体色の影響で、画質フィルタモードのフィルタ効果が過剰になったり、逆に不足してしまったりすることがあった。例えばセピア色や寒色系の色味を重ねるフィルタにおいて、同系色の被写体を撮影する場合、フィルタ効果が過剰になってしまっていた。また、逆に反対色の被写体を撮影する場合には、フィルタ効果が相殺されてしまい、効果が不足してしまっていた。
【０００６】
また、画質フィルタモードにおいて、画面全体の色の濃さを変えるため、映像信号の彩度を変化させる画質補正をかけるフィルタを選択して撮影する際、被写体の色の濃さの影響で、画質フィルタモードのフィルタ効果が過剰になったり、逆に不足してしまったりすることがあった。例えば彩度を上げる画質フィルタでは、もともと色の濃い被写体を撮影する場合には色がどぎつくなり過ぎてしまい、逆に、色の薄い被写体を撮影する場合にはフィルタの効果が分かりづらくなってしまっていた。また、彩度を下げる画質フィルタでは、もともと色の濃い被写体を撮影する場合にはフィルタの効果が分かりづらくなってしまっていた。
【０００７】
また、画質フィルタモードにおいて、画面全体のコントラストを変えるため、映像信号のガンマ補正を変化させる画質補正をかけるフィルタを選択して撮影する際、被写体自体の持つコントラストの影響で、画質フィルタモードのフィルタ効果が過剰になったり、逆に不足してしまったりすることがあった。例えばコントラストを上げる画質フィルタでは、もともとコントラストの高い被写体を撮影する場合にはコントラストがつき過ぎてしまい、逆に、コントラスの低い被写体を撮影する場合にはフィルタの効果が分かりづらくなってしまっていた。
【０００８】
また、画質フィルタモードにおいて、画面全体の解像感を変えるため、映像信号のエッジ強調を変化させる画質補正をかけるフィルタを選択して撮影する際、被写体自体の持つ空間周波数特性やコントラストの影響で、画質フィルタモードのフィルタ効果が過剰になったり、逆に不足してしまったりすることがあった。例えばソフトフォーカスをかける画質フィルタでは、もともとエッジの強い被写体を撮影する場合にはエッジがつき過ぎてしまい、フィルタの効果が分かりづらくなってしまっていた。
【０００９】
従来技術として、撮影処理時における制御内容に応じて、グレインのような特殊効果処理を補正するものがある（特許文献１）。しかしながら、特殊効果処理を付加するものであり、色補正、階調補正、エッジ強調のような通常の信号処理自体の設定値を変化させて、画面全体の印象を一定に保つ課題を解決するものではない。
【００１０】
また、撮影条件、撮影状況に応じて、実写画像と合成する素材画像を補正して合成するものがある（特許文献２）。しかしながら、合成するための素材画像に対して補正処理を施すものであり、色補正、階調補正、エッジ強調のような通常の信号処理自体の設定値を変化させて、画面全体の印象を一定に保つ課題を解決するものではない。
【００１１】
本発明は上記のような点に鑑みてなされたものであり、フィルタ効果処理によって最終的に得られる画面全体の印象が一定になるようにすることを目的とする。
【課題を解決するための手段】
【００１２】
本発明の撮像装置は、映像信号を出力する撮像手段と、前記撮像手段で得られる映像信号の信号処理を施す信号処理手段であり、映像信号にホワイトバランス補正処理を施すホワイトバランス補正手段、映像信号にガンマ補正処理を施すガンマ補正手段、映像信号にエッジ強調処理を施すエッジ強調手段、及び映像信号に色補正処理を施す色補正手段、のうち少なくとも一つ以上の手段を有する信号処理手段と、前記撮像手段で得られる映像信号から被写体の色情報及び輝度情報のうち少なくともいずれ一方を含む被写体情報を検出する被写体情報検出手段と、前記撮像手段で得られる映像信号にフィルタ効果処理をかけるためのフィルタ効果処理手段と、前記フィルタ効果処理手段によるフィルタ効果処理の適用時に、前記被写体情報検出手段で検出された被写体情報に基づいて、前記ホワイトバランス補正手段、前記色補正手段、前記ガンマ補正手段、及び前記エッジ強調手段のうち少なくとも一つ以上の手段で用いる補正値を算出する制御手段とを備えたことを特徴とする。
【発明の効果】
【００１３】
本発明によれば、フィルタ効果処理によって最終的に得られる画面全体の印象が一定になるようにすることが可能となる。
【図面の簡単な説明】
【００１４】
【図１】第１の実施形態に係る撮像装置の概略構成を示す図である。
【図２】第１の実施形態に係る撮像装置の外観を示す斜視図である。
【図３】第１の実施形態に係る撮像装置による処理を示すフローチャートである。
【図４】ホワイトバランス補正処理で用いる補正値の算出処理を示すフローチャートである。
【図５】色補正処理で用いる補正値の算出処理を示すフローチャートである。
【図６】第２の実施形態に係る撮像装置による処理を示すフローチャートである。
【発明を実施するための形態】
【００１５】
以下、添付図面を参照して、本発明の好適な実施形態について説明する。
（第１の実施形態）
図１は、第１の実施形態に係る撮像装置の概略構成を示す図である。
レンズ１０１の後方に、絞り１０２が配置されている。レンズ１０１、絞り１０２を介した光は、イメージセンサ１０５の結像面上に被写体像として結像される。イメージセンサ１０５では結像された被写体像が光信号から映像信号に変換される。イメージセンサ１０５で得られた映像信号は、信号処理部１１２に送られる。
【００１６】
信号処理部１１２は、ホワイトバランス補正部１０７、ガンマ補正部１０８、エッジ強調処理部１０９、及び色補正部１１０を有する。カメラマイコン１１１は、映像信号にホワイトバランス補正部１０７によりホワイトバランス補正処理を施し、ガンマ補正部１０８によりガンマ補正処理を施し、エッジ強調処理部１０９によりエッジ強調処理を施し、色補正部１１０により色補正処理を施すよう制御する。
ここで、カメラマイコン１１１は、画質フィルタモード時には、ホワイトバランス補正処理、ガンマ補正処理、エッジ強調処理、色補正処理で用いる補正値を、後述する輝度／色情報検出部１１３で得られた被写体情報に基づいて算出する。なお、画質フィルタモードでない時には、予め設定された所定値にする。
【００１７】
また、信号処理部１１２は、フィルタ効果処理部１１４を有する。ユーザが画質フィルタモードを選択している場合、カメラマイコン１１１は、ユーザが選択した画質フィルタモードに応じて、映像信号にフィルタ効果処理部１１４によりフィルタ効果処理をかける。フィルタ効果処理には、ガンマ変換、ブラックバランス補正、ホワイトバランス補正、カラーバランス補正、エッジ強調、ソフトフォーカス効果、グラデーションマスク等が含まれる。なお、フィルタ効果処理部１１４でのフィルタ効果処理の一部を、ホワイトバランス補正部１０７によるホワイトバランス補正処理、ガンマ補正部１０８によるガンマ補正処理、エッジ強調処理部１０９によるエッジ強調処理、色補正部１１０による色補正処理で代用しても構わない。
【００１８】
信号処理部１１２で信号処理が施された映像信号は、ディスプレイ１１６に出力されるか、磁気テープ１１５、ＤＶＤディスク１１７又はメモリカード１１８に記録される。
【００１９】
輝度／色情報検出部１１３は、画像を水平、垂直方向に分割して、複数の輝度／色情報検出枠を設定し、輝度／色情報検出枠内の画素値を積分することで、被写体の各検出枠における輝度情報及び色情報のうち少なくともいずれか一方を含む被写体情報を検出する。さらに、被写体情報として、被写体の各検出枠における輝度情報及び色情報から環境光の色温度情報を推定し用いてもよい。輝度／色情報検出部１１３で検出された被写体情報は、カメラマイコン１１１に送られる。カメラマイコン１１１は、取得した被写体情報を用いて、ホワイトバランス補正処理、ガンマ補正処理、エッジ強調処理、色補正処理で用いる補正値を算出する。
信号処理部１１２におけるフィルタ効果処理については、後で詳しく述べる。また、信号処理部１１２におけるホワイトバランス補正処理、ガンマ補正処理、エッジ強調処理、色補正処理、フィルタ効果処理、輝度／色情報検出処理以外の処理については、ここでは図示しない。
【００２０】
さらに、カメラマイコン１１１は、センサ駆動部１０６を通じて、イメージセンサ１０５の蓄積、読み出し等の制御を行う。また、レンズ駆動部１０３を通じて、レンズ１０１のフォーカス、ズーム等の制御を行う。また、イメージセンサ１０５で得られた映像信号から求められる被写体の輝度情報を用いて、絞り駆動部１０４を通じて、絞り１０２の制御を行い、また、センサ駆動部１０６を通じて、シャッタースピードの制御を行うことで露出制御を行う。また、レンズ駆動部１０３を通じてレンズ１０１を駆動するか、信号処理部１１２を制御することで、使用者の撮影時の手ぶれを補正する。
【００２１】
図２は、第１の実施形態に係る撮像装置の外観を示す斜視図である。１２０は撮像装置本体である。撮像装置本体１２０内部には、ＤＶＤディスク、磁気テープ及びメモリカード等の記録媒体が収納され、映像信号及び静止画像を記録再生できるようになっている。
１２１はレンズ部である。１２２はマイクであり、撮影時の音声を記録する。１２３は電子式ビューファインダ（ＥＶＦ）であり、覗き込むことにより撮影時に被写体を狙ったり、確認したりすることができる。
１２４は例えばプッシュボタンからなる動画用トリガースイッチであり、動画撮影開始及び終了を機器に伝達するために使用者が操作するスイッチである。１２５は例えばプッシュボタンからなる静止画用トリガースイッチであり、静止画撮影開始及び終了を機器に伝達するために使用者が操作するスイッチである。１２６はモードダイヤルであり、回転式のスイッチからなる。モードダイヤル１２６では、例えば再生モードに設定する“再生”、カメラモードに設定する“カメラ”及びそのいずれでもない“ＯＦＦ”のいずれかを選択できる。１２７は操作スイッチ群であり、ユーザが撮像装置を操作するため、画質フィルタモードを入力するためのキーや、その他のメニュー操作や再生系の操作等のためのキーが配置されている。
１２８は撮像装置本体１２０の側面に開閉自在となるように取り付けられた液晶パネルであり、ＥＶＦ１２３と同様に、撮影時には被写体像の確認、再生時には再生画像の表示に主に使用される。液晶パネル１２８は、撮像装置本体１２０から開いている状態で、さらに水平方向にも回転可能になっている。
１２９はスピーカであり、再生するときに音声を出力する。
１３０はバッテリであり、撮像装置本体１２０と着脱可能になっている。
【００２２】
次に、図３のフローチャートを参照して、第１の実施形態に係る撮像装置の処理について説明する。
電源が投入されると（ステップＳ１０１）、カメラマイコン１１１は、画質フィルタモードであるか否かを判定する（ステップＳ１０３）。
ステップＳ１０３において画質フィルタモードである場合、カメラマイコン１１１は、輝度／色情報検出部１１３により、被写体色情報を検出する（ステップＳ１０５）。
次に、カメラマイコン１１１は、輝度／色情報検出部１１３により、ホワイトバランス補正処理又は色補正処理の補正値の算出に用いるための被写体ホワイトバランス情報を取得する（ステップＳ１０７）。
次に、カメラマイコン１１１は、輝度／色情報検出部１１３により、ガンマ補正処理の補正値の算出に用いるための被写体コントラスト情報を取得する（ステップＳ１０９）。
次に、カメラマイコン１１１は、輝度／色情報検出部１１３により、エッジ強調処理の補正値の算出に用いるための被写体エッジ情報を取得する（ステップＳ１１０）。
次に、カメラマイコン１１１は、輝度／色情報検出部１１３により得られた被写体色情報、被写体ホワイトバランス情報、被写体コントラスト情報、被写体エッジ情報に基づいて、ホワイトバランス補正処理、ガンマ補正処理、エッジ強調処理、色補正処理の補正値を算出する（ステップＳ１１２）。被写体色情報及び被写体ホワイトバランス情報を用いたホワイトバランス補正値の算出処理、並びに、被写体色情報及び被写体ホワイトバランス情報を用いた色補正値の算出処理については、後で詳しく述べる。
次に、カメラマイコン１１１は、ステップＳ１１２において得られた補正値に基づいたホワイトバランス補正処理、ガンマ補正処理、エッジ強調処理、色補正処理を施す（ステップＳ１１４）。
次に、カメラマイコン１１１は、フィルタ効果処理部１１４により、ユーザが選択した画質フィルタモードに応じて、フィルタ効果処理を施す（ステップＳ１１６）。ここで、フィルタ効果処理は、ホワイトバランス補正処理、ガンマ補正処理、エッジ強調処理、色補正処理以外の処理であり、ブラックバランス補正、ソフトフォーカス効果、グラデーションマスク等が含まれる。
【００２３】
一方、ステップＳ１０３において画質フィルタモードでない場合、カメラマイコン１１１は、ホワイトバランス補正処理、ガンマ補正処理、エッジ強調処理、色補正処理で用いる補正値を予め設定された所定値にする（ステップＳ１２０）。
次に、カメラマイコン１１１は、ステップＳ１２０において得られた補正値に基づいたホワイトバランス補正処理、ガンマ補正処理、エッジ強調処理、色補正処理を施す（ステップＳ１２２）。
【００２４】
以上の処理を行った後、カメラマイコン１１１は、撮影が継続されているか否かを判定し（ステップＳ１２４）、電源が切断されて制御が終了するまで、画質フィルタモード判定処理（ステップＳ１０３）からの処理を繰り返す。電源が切断されると、終了する（ステップＳ１２６）。
【００２５】
次に、図４のフローチャートを参照して、ステップＳ１１２におけるホワイトバランス補正処理で用いる補正値の算出処理について説明する。
ホワイトバランス補正処理で用いる補正値の算出処理を開始すると（ステップＳ１４０）、カメラマイコン１１１は、まず、輝度／色情報検出部１１３により取得された被写体色情報及び被写体ホワイトバランス情報から、撮影画像における被写体の色相がフィルタ効果処理によって強調される色相と一致するか否かを判定する（ステップＳ１４２）。ここで、フィルタ効果処理は、ブラックバランスシフト、ホワイトバランスシフト、色補正等であり、セピア色や寒色系の色等、ある特定の色相を強調する効果である。
ステップＳ１４２において撮影画像における被写体の色相がフィルタ効果処理によって強調される色相と一致する場合、カメラマイコン１１１は、補正値を算出する際にかけ合わせるマスターゲインを小さく設定する（ステップＳ１４４）。これにより、フィルタ効果処理によって最終的に得られる画面全体の印象色が一定になるようにすることができる。
逆に、ステップＳ１４２において撮影画像における被写体の色相がフィルタ効果処理によって強調される色相と一致しない場合、カメラマイコン１１１は、補正値を算出する際にかけ合わせるマスターゲインを大きく設定する（ステップＳ１４５）。これにより、フィルタ効果処理によって最終的に得られる画面全体の印象色が一定になるようにすることができる。
次に、カメラマイコン１１１は、予め決められた所定値に、ステップＳ１４４又はステップＳ１４５で求められたマスターゲインをかけ合わせることで、フィルタ効果処理時のホワイトバランス補正処理で用いる補正値を算出する（ステップＳ１４６）。その後、ホワイトバランス補正処理で用いる補正値の算出処理を終了する（ステップＳ１４８）。
【００２６】
次に、図５のフローチャートを参照して、ステップＳ１１２における色補正処理で用いる補正値の算出処理（Ｓ１１２）について説明する。
色補正処理で用いる補正値の算出処理を開始すると（ステップＳ１６０）、カメラマイコン１１１は、まず、輝度／色情報検出部１１３により取得された被写体色情報及び被写体ホワイトバランス情報から、撮影画像における被写体の彩度がフィルタ効果処理によって強調又は抑圧される彩度より大きいか否かを判定する（ステップＳ１６２）。ここで、被写体色情報は、単色で鮮やかであるのか、多くの色を含むカラフルな被写体であるのか、全体的な彩度の平均値が低いのか等の色分布情報を含んでいる。また、フィルタ効果処理は、色補正により画面全体又は特定色の彩度を強調したり、抑圧したりする効果である。
ステップＳ１６２において撮影画像における被写体の彩度がフィルタ効果処理によって強調又は抑圧される彩度より大きい場合、カメラマイコン１１１は、補正値を算出する際にかけ合わせるマスターゲインを小さく設定する（ステップＳ１６４）。これにより、フィルタ効果処理によって最終的に得られる画面全体の印象色が一定になるようにすることができる。
逆に、ステップＳ１６２において撮影画像における被写体の彩度がフィルタ効果処理によって強調又は抑圧される彩度より大きくない場合、カメラマイコン１１１は、補正値を算出する際にかけ合わせるマスターゲインを大きく設定する（ステップＳ１６５）。これにより、フィルタ効果処理によって最終的に得られる画面全体の印象色が一定になるようにすることができる。ここで、輝度／色情報検出部１１３により取得された被写体の彩度にフィルタ効果処理をかけた結果の彩度が所定の範囲内に収まるようにマスターゲインを設定する。
次に、カメラマイコン１１１は、予め決められた所定値に、ステップＳ１６４又はステップＳ１６５で求められたマスターゲインをかけ合わせることで、フィルタ効果処理時の色補正処理で用いる補正値を算出する（ステップＳ１６６）。その後、色補正処理で用いる補正値の算出処理を終了する（ステップＳ１６８）。
【００２７】
以上述べたように、撮像装置におけるフィルタ効果処理の適用時の信号処理において、撮影時の被写体の色やコントラストや解像感によらず、フィルタ効果処理によって最終的に得られる画面全体の印象が一定になるようにすることが可能となる。
【００２８】
（第２の実施形態）
第２の実施形態において、撮像装置の構成は第１の実施形態と同様であり、以下では、第１の実施形態との相違点を中心に説明する。
第２の実施形態では、フィルタ効果処理部１１４によるフィルタ効果処理の内容に応じて、ホワイトバランス補正部１０７、ガンマ補正部１０８、エッジ強調処理部１０９、及び色補正部１１０のうちどれで用いる補正値を算出するかを決定するようにしている。
図６のフローチャートを参照して、第２の実施形態に係る撮像装置の処理について説明する。
電源が投入されると（ステップＳ２０１）、カメラマイコン１１１は、画質フィルタモードであるか否かを判定する（ステップＳ２０３）。
ステップＳ２０３において画質フィルタモードである場合、カメラマイコン１１１は、輝度／色情報検出部１１３により、被写体色情報を検出する（ステップＳ２０５）。
次に、カメラマイコン１１１は、輝度／色情報検出部１１３により、ホワイトバランス補正処理又は色補正処理の補正値の算出に用いるための被写体ホワイトバランス情報を取得する（ステップＳ２０７）。
次に、カメラマイコン１１１は、輝度／色情報検出部１１３により、ガンマ補正処理の補正値の算出に用いるための被写体コントラスト情報を取得する（ステップＳ２０９）。
次に、カメラマイコン１１１は、輝度／色情報検出部１１３により、エッジ強調処理の補正値の算出に用いるための被写体エッジ情報を取得する（ステップＳ２１０）。
【００２９】
次に、カメラマイコン１１１は、ユーザが選択している画質フィルタモードにおけるフィルタ効果処理が、ブラックバランスシフトとホワイトバランスシフトのうち少なくとも一つの効果を用いているか否かを判定する（ステップＳ２１２）。ブラックバランスシフト又はホワイトバランスシフトの効果を用いていない場合、カメラマイコン１１１は、ホワイトバランス補正処理で用いる補正値を予め決められた所定値に設定する（ステップＳ２１５）。一方、ブラックバランスシフトとホワイトバランスシフトのうち少なくとも一つの効果を用いている場合、カメラマイコン１１１は、輝度／色情報検出部１１３により得られた被写体色情報、被写体ホワイトバランス情報に基づいて、ホワイトバランス補正処理で用いる補正値を算出する（ステップＳ２１４）。ここで、補正値の算出方法は、被写体色情報のうち、画面全体平均の色座標を（ａ0*，ｂ0*）、フィルタ効果処理によるホワイトバランスシフト量を（ａ1*，ｂ1*）、事前に設定されたホワイトバランスに関するフィルタ効果としての所定値を（ａ2*，ｂ2*）としたとき、
（ａ0*，ｂ0*）+（ａ1*，ｂ1*）＝（ａ2*，ｂ2*）
のように一定値となるように、フィルタ効果処理によるホワイトバランスシフト量（ａ1*，ｂ1*）を算出する。
ここでは、被写体色情報として、画面全体平均の色座標を用いたが、代わりに、白抽出領域の色座標や主被写体の色座標や最高輝度領域の色座標を用いてフィルタ効果処理によるホワイトバランス量（ａ1*，ｂ1*）を算出してもよい。
【００３０】
また、カメラマイコン１１１は、ユーザが選択している画質フィルタモードにおけるフィルタ効果処理が、映像信号の彩度を変化させる効果を用いているか否かを判定する（ステップＳ２１６）。映像信号の彩度を変化させる効果を用いていない場合、カメラマイコン１１１は、色補正処理で用いる補正値を予め決められた所定値に設定する（ステップＳ２１９）。一方、映像信号の彩度を変化させる効果を用いている場合、カメラマイコン１１１は、輝度／色情報検出部１１３により得られた被写体色情報、被写体ホワイトバランス情報に基づいて、色補正処理で用いる補正値を算出する（ステップＳ２１８）。ここで、補正値の算出方法は、被写体色情報のうち、画面全体を複数領域に分割した際の各小領域の彩度の平均値をＣ0、フィルタ効果処理による彩度変化量をＣ1、事前に設定された彩度に関するフィルタ効果としての所定値をＣ2としたとき、
Ｃ0×Ｃ1＝Ｃ2
のように一定値となるように、フィルタ効果処理による色補正量Ｃ1を算出する。
ここでは、被写体色情報として、画面全体を複数領域に分割した際の各小領域の彩度の平均値を用いたが、代わりに、特定色領域の彩度や主被写体の彩度を用いてフィルタ効果処理による色補正量Ｃ1を算出してもよい。
【００３１】
また、カメラマイコン１１１は、ユーザが選択している画質フィルタモードにおけるフィルタ効果処理が、映像信号のコントラストを変化させる効果を用いているか否かを判定する（ステップＳ２２０）。映像信号のコントラストを変化させる効果を用いていない場合、カメラマイコン１１１は、ガンマ補正処理で用いる補正値を予め決められた所定値に設定する（ステップＳ２２３）。一方、映像信号のコントラストを変化させる効果を用いている場合、カメラマイコン１１１は、輝度／色情報検出部１１３により得られた被写体コントラスト情報に基づいて、ガンマ補正処理で用いる補正値を算出する（ステップＳ２２２）。ここで、補正値の算出方法は、被写体コントラスト情報のうち、画面全体のコントラスト値をＴ0、フィルタ効果処理によるコントラスト変化量をＴ1、事前に設定されたコントラストに関するフィルタ効果としての所定値をＴ2としたとき、
Ｔ0×Ｔ1＝Ｔ2
のように一定値となるように、フィルタ効果処理によるガンマ補正量Ｔ1を算出する。
ここでは、被写体コントラスト情報として、画面全体のコントラスト値を用いたが、代わりに、主被写体のコントラスト値を用いてフィルタ効果処理によるガンマ補正量Ｔ1を算出してもよい。
【００３２】
また、カメラマイコン１１１は、ユーザが選択している画質フィルタモードにおけるフィルタ効果処理が、映像信号のシャープネスを変化させる効果を用いているか否かを判定する（ステップＳ２２４）。映像信号のシャープネスを変化させる効果を用いていない場合、カメラマイコン１１１は、エッジ強調処理で用いる補正値を予め決められた所定値に設定する（ステップＳ２２７）。一方、映像信号のシャープネスを変化させる効果を用いている場合、カメラマイコン１１１は、輝度／色情報検出部１１３により得られた被写体エッジ情報に基づいて、エッジ強調処理で用いる補正値を算出する（ステップＳ２２６）。ここで、補正値の算出方法は、被写体エッジ情報のうち、画面全体のエッジ強度をＡ0、フィルタ効果処理によるエッジ変化量をＡ1、事前に設定されたエッジに関するフィルタ効果としての所定値をＡ2としたとき、
Ａ0×Ａ1＝Ａ2
のように一定値となるように、フィルタ効果処理によるエッジ強調量Ａ1を算出する。
ここでは、被写体エッジ情報として、画面全体のエッジ強度を用いたが、代わりに、主被写体のエッジ強度を用いてフィルタ効果処理によるエッジ強調量Ａ1を算出してもよい。
【００３３】
次に、カメラマイコン１１１は、ステップＳ２１４、Ｓ２１５、Ｓ２１８、Ｓ２１９、Ｓ２２２、Ｓ２２３、Ｓ２２６、Ｓ２２７において得られた補正値に基づいたホワイトバランス補正処理、ガンマ補正処理、エッジ強調処理、色補正処理を施す（ステップＳ２２８）。
次に、カメラマイコン１１１は、フィルタ効果処理部１１４により、ユーザが選択した画質フィルタモードに応じて、フィルタ効果処理を施す（ステップＳ２２９）。ここで、フィルタ効果処理は、ホワイトバランス補正処理、ガンマ補正処理、エッジ強調処理、色補正処理以外の処理であり、ブラックバランス補正、ソフトフォーカス効果、グラデーションマスク等含まれる。
【００３４】
一方、ステップＳ２０３において画質フィルタモードでない場合は、カメラマイコン１１１は、ホワイトバランス補正処理、ガンマ補正処理、エッジ強調処理、色補正処理で用いる補正値を予め決められた所定値に設定する（ステップＳ２３０）。
次に、カメラマイコン１１１は、ステップＳ２３０において得られた補正値に基づいたホワイトバランス補正処理、ガンマ補正処理、エッジ強調処理、色補正処理を施す（ステップＳ２３２）。
【００３５】
以上の処理を行った後、カメラマイコン１１１は、撮影が継続されているか否かを判定し（ステップＳ２３４）、電源が切断されて制御が終了するまで、画質フィルタモード判定処理（ステップＳ２０３）からの処理を繰り返す。電源が切断されると、終了する（ステップＳ２３６）。
【００３６】
以上述べたように、フィルタ効果処理に応じて、ホワイトバランス補正、ガンマ補正、エッジ強調、色補正で用いる補正値を変化させることで、撮像装置における画質フィルタ適用時の信号処理において、撮影時の被写体の色やコントラストや解像感によらず、フィルタ効果によって最終的に得られる画面全体の印象が一定になるようにすることが可能となる。
【００３７】
（その他の実施形態）
また、本発明は、以下の処理を実行することによっても実現される。すなわち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【符号の説明】
【００３８】
１０１：レンズ、１０２：絞り、１０３：レンズ駆動部、１０４：絞り駆動部、１０５：イメージセンサ、１０６：センサ駆動部、１０７：ホワイトバランス補正部、１０８：ガンマ補正部、１０９：エッジ強調処理部、１１０：色補正部、１１１：カメラマイコン、１１２：信号処理部、１１３：輝度／色情報検出部、１１４：フィルタ効果処理部１１５：磁気テープ、１１６：ディスプレイ、１１７：ＤＶＤディスク、１１８：メモリカード
【図１】
2014116903.tif 000003
【図２】
2014116903.tif 000004
【図３】
2014116903.tif 000005
【図４】
2014116903.tif 000006
【図５】
2014116903.tif 000007
【図６】
2014116903.tif 000008